(57)【要約】【課題】スポンジの上面と切花との間のスペースが小さい場合であっても、スポンジに対して水やりを容易に行うこと。【解決手段】水やり補助具１０は、切花が差し込まれる吸水スポンジに対して水やりを行う際に用いられる。水やり補助具１０は、底壁１３及び側壁１４を有し、上方に開放された受け部１２と、受け部１２の側壁１４から外方に向かって突出するとともに受け部１２の内外を連通する注水部１５とを有する本体部１１と、本体部１１の下面に突設され、吸水スポンジに差し込まれる差込部１９とを備える。【選択図】図１
2020092624.tif 000002
【特許請求の範囲】
【請求項１】
切花が差し込まれる吸水スポンジに対して水やりを行う際に用いられる水やり補助具であって、
底壁及び側壁を有し、上方に開放された受け部と、前記受け部の前記側壁から外方に向かって突出するとともに前記受け部の内外を連通する注水部と、を有する本体部と、
前記本体部の下面に突設され、前記吸水スポンジに差し込まれる差込部と、を備える、
水やり補助具。
【請求項２】
前記差込部は、前記注水部の下面に設けられている、
請求項１に記載の水やり補助具。
【請求項３】
前記受け部の前記底壁には、前記注水部の突出方向に対して交差する方向に沿って延在する邪魔板が突設されている、
請求項１または請求項２に記載の水やり補助具。
【発明の詳細な説明】
【技術分野】
【０００１】
本発明は、例えば切花が差し込まれる吸水スポンジに対して水やりを行う際に用いられる水やり補助具に関する。
【背景技術】
【０００２】
特許文献１には、水を収容するペットボトルなどの容器と、容器の口部に着脱可能な取付部と、植木鉢内の土に容器を起立可能に差し込まれるノズルとを備えた植木用給水具が開示されている。こうした植木用給水具によれば、容器内に水が収容された状態の給水具のノズルを植木鉢内の土に差し込むことにより、容器内の水がノズルを通じて土に対して供給される。
【先行技術文献】
【特許文献】
【０００３】
【特許文献１】特開２００２−１９９８２２号公報
【発明の概要】
【発明が解決しようとする課題】
【０００４】
ところで、特許文献１に記載の給水具の場合、容器内の水が無くなると、ノズルを土から引き抜き、容器の口部からノズルを取り外して容器内に水を再充填し、給水具のノズルを植木鉢内の土に再び差し込む必要がある。そのため、水やり作業が煩雑になるという問題がある。
【０００５】
また、特許文献１に記載の給水具の場合、植木鉢内の土にノズルが差し込まれることで容器が起立した状態となる。そのため、花器に収容された吸水スポンジの上面に切花が密集して差し込まれたフラワーアレンジメントに対して用いる場合には、給水具を差し込むスペースを確保することが困難であるといった別の問題も生じる。
【０００６】
本発明の目的は、スポンジの上面と切花との間のスペースが小さい場合であっても、スポンジに対して水やりを容易に行うことのできる水やり補助具を提供することにある。
【課題を解決するための手段】
【０００７】
上記目的を達成するための水やり補助具は、切花が差し込まれる吸水スポンジに対して水やりを行う際に用いられるものであって、底壁及び側壁を有し、上方に開放された受け部と、前記受け部の前記側壁から外方に向かって突出するとともに前記受け部の内外を連通する注水部と、を有する本体部と、前記本体部の下面に突設され、前記吸水スポンジに差し込まれる差込部と、を備える。
【０００８】
同構成によれば、本体部の下面に突設された差込部を吸水スポンジの上面や側面に差し込むことで水やり補助具がスポンジに支持されるようになる。そして、受け部に対して上方から水を注ぐと、水は受け部の底壁を伝って側壁から外方に向かって突出する注水部に流入し、注水部からスポンジの上面や側面に対して注がれるようになる。ここで、本体部を寝かした姿勢で差込部がスポンジに差し込まれることから、本体部の高さが低く抑えられる。したがって、スポンジの上面と切花との間のスペースが小さい場合であっても、スポンジに対して水やりを容易に行うことができる。
【０００９】
上記水やり補助具において、前記差込部は、前記注水部の下面に設けられていることが好ましい。
同構成によれば、注水部の下面に設けられた差込部をスポンジの上面や側面に差し込んだ状態において、受け部をスポンジから離間した位置に配置することが可能となるため、受け部に対して水を注ぐ際に、切花が邪魔になることが抑制される。したがって、水やりを一層容易に行うことができる。
【００１０】
上記水やり補助具において、前記受け部の前記底壁には、前記注水部の突出方向に対して交差する方向に沿って延在する邪魔板が突設されていることが好ましい。
同構成によれば、受け部に注がれた水は、注水部に向かって流れる途中で邪魔板に衝突するため、受け部から注水部へ流入する水の勢いが弱められる。したがって、注水部から水が溢れたり、スポンジに注がれる水が溢れたりすることを抑制できる。
【発明の効果】
【００１１】
本発明によれば、スポンジの上面と切花との間のスペースが小さい場合であっても、スポンジに対して水やりを容易に行うことができる。
【図面の簡単な説明】
【００１２】
【図１】本実施形態における水やり補助具を示す斜視図。
【図２】同実施形態の水やり補助具を示す平面図。
【図３】図２の３−３線に沿った断面図。
【図４】同実施形態の水やり補助具を吸水スポンジの側面に差し込んだ状態を示す側面図。
【図５】同実施形態の水やり補助具を吸水スポンジの上面に差し込んだ状態を示す側面図。
【発明を実施するための形態】
【００１３】
以下、図１〜図４を参照して、水やり補助具の一実施形態について説明する。
図１に示すように、水やり補助具１０は、底壁１３及び側壁１４を有し、上方に開放された受け部１２と、側壁１４から外方に向かって突出するとともに受け部１２の内外を連通する注水部１５と、本体部１１の下面から突出する差込部１９とを備えており、硬質樹脂材料によって一体成形されている。
【００１４】
図１及び図２に示すように、本実施形態の底壁１３は、平面視略菱形状をなしており、葉の形状を模している。
側壁１４は、底壁１３の周縁から上方に向かって突出するとともに底壁１３の略全周にわたって延在している。
【００１５】
図１〜図３に示すように、底壁１３は、底壁１３の幅方向（図３の左右方向であり、以下、幅方向Ｗ）の中央部１８に近接するほど下方に位置するように傾斜している。
底壁１３には、注水部１５の突出方向（図２の左右方向であり、以下、突出方向Ｌ）に対して交差する方向に沿って延在する複数（同実施形態では４つ）の邪魔板１７ａ，１７ｂ，１７ｃ，１７ｄが突設されている。各邪魔板１７ａ，１７ｂ，１７ｃ，１７ｄは、突出方向Ｌにおける注水部１５からの距離が大きい順に配置されている。２つの邪魔板１７ａ，１７ｃは、底壁１３のうち幅方向Ｗの一方側の部分１３ａに設けられており、互いに平行に配置されている。また、残りの２つの邪魔板１７ｂ、１７ｄは、底壁１３のうち幅方向Ｗの他方側の部分１３ｂに設けられており、互いに平行に配置されている。各邪魔板１７ａ，１７ｂ，１７ｃ，１７ｄは、幅方向Ｗの中央部１８に近接するほど突出方向Ｌにおいて注水部１５に近接するように傾斜している。
【００１６】
図１及び図２に示すように、注水部１５は、樋状をなしており、上方に開放されている。注水部１５の突端部には、流出口１６が設けられている。
図１に示すように、差込部１９は注水部１５の突出方向Ｌに沿う板状をなしており、注水部１５の下面から突出している。差込部１９の下端は、円弧状をなしている。
【００１７】
次に、本実施形態の作用について説明する。
図４に示すように、花器２０内に載置された吸水スポンジ（以下、スポンジ２１）に差し込まれた切花２２に対して水やりを行う際には、水やり補助具１０の差込部１９及び注水部１５をスポンジ２１の側面２４に差し込む。これにより、水やり補助具１０がスポンジ２１に支持されるようになる。そして、受け部１２に対して上方から水Ａを注ぐと、同図に一点鎖線にて示すように、水Ａは受け部１２の底壁１３を伝って注水部１５に流入し、注水部１５からスポンジ２１の側面２４に対して注がれるようになる。ここで、本体部１１を寝かした姿勢で差込部１９及び注水部１５がスポンジ２１に差し込まれることから、本体部１１の高さが低く抑えられる（以上、作用１）。
【００１８】
また、差込部１９をスポンジ２１の側面２４に差し込んだ状態において、受け部１２をスポンジ２１から離間した位置に配置することが可能となるため、受け部１２に対して水を注ぐ際に、切花２２が邪魔になることが抑制される（以上、作用２）。
【００１９】
また、受け部１２に注がれた水Ａは、注水部１５に向かって流れる途中で邪魔板１７ａ，１７ｂ，１７ｃ，１７ｄに衝突するため、受け部１２から注水部１５へ流入する水の勢いが弱められる（以上、作用３）。
【００２０】
次に、本実施形態の効果について説明する。
（１）水やり補助具１０は、底壁１３及び側壁１４を有し、上方に開放された受け部１２と、受け部１２の側壁１４から外方に向かって突出するとともに受け部１２の内外を連通する注水部１５とを有する本体部１１と、本体部１１の下面から突設され、スポンジ２１に差し込まれる差込部１９とを備える。
【００２１】
こうした構成によれば、上記作用１を奏する。したがって、スポンジ２１の上面２３と切花２２との間のスペースが小さい場合であっても、スポンジ２１に対して水やりを容易に行うことができる。
【００２２】
（２）差込部１９は、注水部１５の下面に設けられている。
こうした構成によれば、上記作用２を奏する。したがって、水やりを一層容易に行うことができる。
【００２３】
（３）受け部１２の底壁１３には、注水部１５の突出方向Ｌに対して交差する方向に沿って延在する邪魔板１７ａ，１７ｂ，１７ｃ，１７ｄが突設されている。
こうした構成によれば、上記作用３を奏する。したがって、注水部１５から水Ａが溢れたり、スポンジ２１に注がれる水Ａが溢れたりすることを抑制できる。
【００２４】
＜変更例＞
上記実施形態は、例えば以下のように変更することもできる。上記実施形態及び以下の変更例は、技術的に矛盾しない範囲で互いに組み合わせて実施することができる。
【００２５】
・図５に示すように、水やり補助具１０の差込部１９のみをスポンジ２１の上面２３に差し込むようにしてもよい。
・例えば受け部１２の底壁１３を平面視楕円形状にしたり、長方形状にしたりすることもできる。また、底壁１３の上面を湾曲面にしたり、一つの平面にしたりすることもできる。
【００２６】
・例えば注水部１５を筒状にすることもできる。
・邪魔板１７ａ，１７ｂ，１７ｃ，１７ｄの数や形状を適宜変更することができる。
・邪魔板１７ａ，１７ｂ，１７ｃ，１７ｄを省略することもできる。
【００２７】
・上記実施形態では、菱形状をなす底壁１３の対角線のうち長手側の対角線と注水部１５の突出方向Ｌとが一致していたが、同対角線と注水部１５の突出方向とが交差する構成であってもよい。
【００２８】
・差込部１９を受け部１２側に向けて延在させるようにしてもよい。また、例えば受け部１２の突出方向Ｌにおける体格が大きい場合には、差込部１９を受け部１２の下面のみに設け、差込部１９をスポンジ２１の上面２３に差し込んで用いるようにしてもよい。
【符号の説明】
【００２９】
１０…水やり補助具、１１…本体部、１２…受け部、１３…底壁、１３ａ，１３ｂ…部分、１４…側壁、１５…注水部、１６…流出口、１７ａ，１７ｂ，１７ｃ，１７ｄ…邪魔板、１８…中央部、１９…差込部、２０…花器、２１…スポンジ、２２…切花、２３…上面、２４…側面。
【図１】
2020092624.tif 000003
【図２】
2020092624.tif 000004
【図３】
2020092624.tif 000005
【図４】
2020092624.tif 000006
【図５】
2020092624.tif 000007